(57)【要約】  本願はページング方法、端末装置及びネットワーク機器を開示し、該方法は、端末装置が第１無線フレームを決定することと、前記端末装置が前記第１無線フレームに基づき、ページングメッセージを監視するためのページング時間間隔を決定し、前記ページング時間間隔に前記第１無線フレームが含まれることと、前記端末装置が前記ページング時間間隔内に前記ページングメッセージを監視することと、を含む。従って、端末装置は決定された無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
2020533829.tif 000002
【特許請求の範囲】
【請求項１】
ページング方法であって、
端末装置が第１無線フレームを決定することと、
前記端末装置が前記第１無線フレームに基づき、ページングメッセージを監視するためのページング時間間隔を決定し、前記ページング時間間隔に前記第１無線フレームが含まれることと、
前記端末装置が前記ページング時間間隔内に前記ページングメッセージを監視することと、を含むことを特徴とするページング方法。
【請求項２】
前記ページング時間間隔が同期信号を検出するための同期時間間隔と同じであることを特徴とする請求項１に記載の方法。
【請求項３】
前記端末装置が第１無線フレームを決定することは、
前記端末装置がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数であることを特徴とする請求項１又は２に記載の方法。
【請求項４】
前記端末装置が前記第１無線フレームに基づき、ページングメッセージを監視するためのページング時間間隔を決定することは、
前記端末装置が前記第１無線フレームの前記ページング時間間隔における位置を示すための第１指示情報を受信することと、
前記端末装置が前記第１無線フレームの前記ページング時間間隔における位置に基づき、前記ページング時間間隔を決定することと、を含むことを特徴とする請求項１〜３のいずれか１項に記載の方法。
【請求項５】
前記端末装置が前記第１無線フレームに基づき、ページングメッセージを監視するためのページング時間間隔を決定することは、
前記端末装置が前記第１無線フレームの前記同期時間間隔における位置を決定することと、
前記端末装置が前記第１無線フレームの前記同期時間間隔における位置を前記第１無線フレームの前記ページング時間間隔における位置として決定することと、
前記端末装置が前記第１無線フレームの前記ページング時間間隔における位置に基づき、前記ページング時間間隔を決定することと、を含むことを特徴とする請求項２又は３に記載の方法。
【請求項６】
前記端末装置が前記第１無線フレームに基づき、ページングメッセージを監視するためのページング時間間隔を決定することは、
前記端末装置が前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であることと、
前記端末装置が前記第２無線フレームに基づき、前記ページング時間間隔を決定することと、を含むことを特徴とする請求項１〜３のいずれか１項に記載の方法。
【請求項７】
前記端末装置が前記第２ＳＦＮに基づき、前記ページング時間間隔を決定することは、
前記端末装置が前記第２無線フレームの前記ページング時間間隔における位置を示すための第２指示情報を受信することと、
前記端末装置が前記第２無線フレームの前記ページング時間間隔における位置に基づき、前記ページング時間間隔を決定することと、を含むことを特徴とする請求項６に記載の方法。
【請求項８】
前記端末装置が前記ページング時間間隔内に前記ページングメッセージを監視することは、
前記端末装置が前記ページング時間間隔における第３無線フレームを示すための第３指示情報を受信することと、
前記端末装置が前記第３無線フレームにおいて前記ページングメッセージを監視することと、を含むことを特徴とする請求項１〜７のいずれか１項に記載の方法。
【請求項９】
ページング方法であって、
ネットワーク機器が第１無線フレーム及びページングメッセージを送信するためのページング時間間隔を決定することと、
前記ネットワーク機器が前記第１無線フレームの前記ページング時間間隔における位置を決定することと、
前記端末装置が前記第１指示情報に基づき、前記ページング時間間隔を決定して、前記ページング時間間隔内に前記ページングメッセージを監視するために、前記ネットワーク機器が前記第１無線フレームの前記ページング時間間隔における位置を示すための第１指示情報を端末装置に送信することと、を含むことを特徴とするページング方法。
【請求項１０】
前記ページング時間間隔が同期信号を検出するための同期時間間隔と同じであることを特徴とする請求項９に記載の方法。
【請求項１１】
前記ネットワーク機器が前記第１無線フレームを決定することは、
前記ネットワーク機器がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数であることを特徴とする請求項９又は１０に記載の方法。
【請求項１２】
前記ネットワーク機器が前記第１無線フレームの前記ページング時間間隔における位置を決定することは、
前記ネットワーク機器が前記第１無線フレームの前記同期時間間隔における位置を決定することと、
前記ネットワーク機器が前記第１無線フレームの前記同期時間間隔における位置を前記第１ＳＦＮの前記ページング時間間隔における位置として決定することと、を含むことを特徴とする請求項１０又は１１に記載の方法。
【請求項１３】
前記方法は、更に、
前記端末装置が前記第３無線フレームにおいて前記ページングメッセージを監視するために、前記ネットワーク機器が前記ページング時間間隔における第３無線フレームを示すための第３指示情報を端末装置に送信することを含むことを特徴とする請求項９〜１２のいずれか１項に記載の方法。
【請求項１４】
ページング方法であって、
ネットワーク機器が第２無線フレーム及びページングメッセージを送信するためのページング時間間隔を決定することと、
前記ネットワーク機器が前記第２無線フレームの前記ページング時間間隔における位置を決定することと、
前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記ネットワーク機器が前記第２無線フレームの前記ページング時間間隔における位置を示すための第２指示情報を端末装置に送信することと、を含み、
前記第２無線フレーム及び前記第１無線フレームがＳＦＮ２＝Ｍ×ＳＦＮ１を満足し、前記第１無線フレームのシステムフレーム番号ＳＦＮがＳＦＮ１であり、前記第２無線フレームのＳＦＮがＳＦＮ２であり、Ｍが前記ページング時間間隔に含まれる無線フレームの数であることを特徴とするページング方法。
【請求項１５】
前記ページング時間間隔が同期信号を検出するための同期時間間隔と同じであることを特徴とする請求項１４に記載の方法。
【請求項１６】
前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数であることを特徴とする請求項１４又は１５に記載の方法。
【請求項１７】
端末装置であって、
第１無線フレームを決定し、前記第１無線フレームに基づき、ページングメッセージを監視するためのページング時間間隔を決定し、前記ページング時間間隔に前記第１無線フレームが含まれるための決定ユニットと、
前記決定ユニットの決定した前記ページング時間間隔内に前記ページングメッセージを監視するための送受信ユニットと、を備えることを特徴とする端末装置。
【請求項１８】
前記ページング時間間隔が同期信号を検出するための同期時間間隔と同じであることを特徴とする請求項１７に記載の端末装置。
【請求項１９】
前記端末装置が第１無線フレームを決定することは、
ＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数であることを特徴とする請求項１７又は１８に記載の端末装置。
【請求項２０】
前記送受信ユニットは、更に、
前記第１無線フレームの前記ページング時間間隔における位置を示すための第１指示情報を受信することに用いられ、
前記決定ユニットは、具体的に、前記第１無線フレームの前記ページング時間間隔における位置に基づき、前記ページング時間間隔を決定することに用いられることを特徴とする請求項１７〜１９のいずれか１項に記載の端末装置。
【請求項２１】
前記決定ユニットは、具体的に、
前記第１無線フレームの前記同期時間間隔における位置を決定し、
前記第１無線フレームの前記同期時間間隔における位置を前記第１無線フレームの前記ページング時間間隔における位置として決定し、
前記第１無線フレームの前記ページング時間間隔における位置に基づき、前記ページング時間間隔を決定することに用いられることを特徴とする請求項１８又は１９に記載の端末装置。
【請求項２２】
前記決定ユニットは、具体的に、
前記端末装置が前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であり、
前記端末装置が前記第２無線フレームに基づき、前記ページング時間間隔を決定することに用いられることを特徴とする請求項１７〜１９のいずれか１項に記載の端末装置。
【請求項２３】
前記送受信ユニットは、更に、
前記端末装置が前記第２無線フレームの前記ページング時間間隔における位置を示すための第２指示情報を受信することに用いられる
前記決定ユニットは、具体的に、前記端末装置が前記第２無線フレームの前記ページング時間間隔における位置に基づき、前記ページング時間間隔を決定することに用いられることを特徴とする請求項２２に記載の端末装置。
【請求項２４】
前記送受信ユニットは、具体的に、
前記端末装置が前記ページング時間間隔における第３無線フレームを示すための第３指示情報を受信し、
前記端末装置が前記第３無線フレームにおいて前記ページングメッセージを監視することに用いられることを特徴とする請求項１７〜２３のいずれか１項に記載の端末装置。
【請求項２５】
ネットワーク機器であって、
第１無線フレーム及びページングメッセージを送信するためのページング時間間隔を決定し、
前記第１無線フレームの前記ページング時間間隔における位置を決定するための決定ユニットと、
前記端末装置が前記第１指示情報に基づき、前記ページング時間間隔を決定して、前記ページング時間間隔内に前記ページングメッセージを監視するために、前記第１無線フレームの前記ページング時間間隔における位置を示すための第１指示情報を端末装置に送信するための送受信ユニットと、を備えることを特徴とするネットワーク機器。
【請求項２６】
前記ページング時間間隔が同期信号を検出するための同期時間間隔と同じであることを特徴とする請求項２５に記載のネットワーク機器。
【請求項２７】
前記決定ユニットは、具体的に、
ＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することに用いられ、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数であることを特徴とする請求項２５又は２６に記載のネットワーク機器。
【請求項２８】
前記決定ユニットは、具体的に、
前記第１無線フレームの前記同期時間間隔における位置を決定し、
前記第１無線フレームの前記同期時間間隔における位置を前記第１ＳＦＮの前記ページング時間間隔における位置として決定することに用いられることを特徴とする請求項２６又は２７に記載のネットワーク機器。
【請求項２９】
前記送受信ユニットは、更に、
前記端末装置が前記第３無線フレームにおいて前記ページングメッセージを監視するために、前記ページング時間間隔における第３無線フレームを示すための第３指示情報を端末装置に送信することに用いられることを特徴とする請求項２５〜２８のいずれか１項に記載のネットワーク機器。
【請求項３０】
ページングネットワーク機器であって、
第２無線フレーム及びページングメッセージを送信するためのページング時間間隔を決定し、
前記第２無線フレームの前記ページング時間間隔における位置を決定するための決定ユニットと、
前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記第２無線フレームの前記ページング時間間隔における位置を示すための第２指示情報を端末装置に送信するための送受信ユニットと、を備え、
前記第２無線フレーム及び前記第１無線フレームがＳＦＮ２＝Ｍ×ＳＦＮ１を満足し、前記第１無線フレームのシステムフレーム番号ＳＦＮがＳＦＮ１であり、前記第２無線フレームのＳＦＮがＳＦＮ２であり、Ｍが前記ページング時間間隔に含まれる無線フレームの数であることを特徴とするページングネットワーク機器。
【請求項３１】
前記ページング時間間隔が同期信号を検出するための同期時間間隔と同じであることを特徴とする請求項３０に記載のネットワーク機器。
【請求項３２】
前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数であることを特徴とする請求項３０又は３１に記載のネットワーク機器。
【発明の詳細な説明】
【技術分野】
【０００１】
本願の実施例は無線通信分野に関し、より具体的に、ページング方法、端末装置及びネットワーク機器に関する。
【背景技術】
【０００２】
５Ｇシステムは高周波数帯域（６ＧＨｚを超える周波数帯域）において動作するとき、経路損失が周波数変化の平方に正比例するために、より短い距離内により大きな損失が生じてしまう。従って、信号の受信品質を向上させるために、信号がビームフォーミング方式で送信される。ビームフォーミング方式を用いる場合、共通信号、例えばダウンリンク同期信号に対して、ネットワーク機器が一定の周期でセル範囲内にビーム走査を行って、各周期内にビームフォーミング方式で走査する。このような場合、ページングメッセージを送信する場合、該ページングメッセージが該ダウンリンク同期信号と同じ周期で送信されてもよく、そうすると、毎回ダウンリンク同期信号を送信する時間内に、ページングメッセージを監視するための複数のページング無線フレーム（ＰＦ：Ｐａｇｉｎｇ  Ｆｒａｍｅ）が含まれる可能性がある。従って、ページングメッセージと同期信号との送信周期が同じである場合、端末装置がどのようにページングメッセージの受信時間を決定するかは、早急な解決の待たれる問題となる。
【発明の概要】
【発明が解決しようとする課題】
【０００３】
本願の実施例はページング方法、端末装置及びネットワーク機器を提供し、ページングメッセージと同期信号との送信周期が同じである場合、端末装置はページングメッセージを受信するための時間を効果的に決定することができる。
【課題を解決するための手段】
【０００４】
第１態様では、ページング方法を提供し、端末装置が第１無線フレームを決定することと、前記端末装置が前記第１無線フレームに基づき、ページングメッセージを監視するためのページング時間間隔を決定し、前記ページング時間間隔に前記第１無線フレームが含まれることと、前記端末装置が前記ページング時間間隔内に前記ページングメッセージを監視することと、を含む。
【０００５】
従って、端末装置は決定された無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【０００６】
可能な実現方式では、前記ページング時間間隔が同期信号を検出するための同期時間間隔と同じである。
【０００７】
可能な実現方式では、前記端末装置が第１ＳＦＮを決定することは、前記端末装置がＳＦＮ１  ｍｏｄ  Ｔ＝（Ｔ／Ｎ）×（ＵＥ−ＩＤ  ｍｏｄ  Ｎ）に基づき、前記第１ＳＦＮのシステムフレーム番号をＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【０００８】
可能な実現方式では、前記端末装置が前記第１無線フレームに基づき、ページングメッセージを監視するためのページング時間間隔を決定することは、前記端末装置が前記第１無線フレームの前記ページング時間間隔における位置を示すための第１指示情報を受信することと、前記端末装置が前記第１無線フレームの前記ページング時間間隔における位置に基づき、前記ページング時間間隔を決定することと、を含む。
【０００９】
可能な実現方式では、前記端末装置が前記第１無線フレームに基づき、ページングメッセージを監視するためのページング時間間隔を決定することは、前記端末装置が前記第１無線フレームの前記同期時間間隔における位置を決定することと、前記端末装置が前記第１無線フレームの前記同期時間間隔における位置を前記第１無線フレームの前記ページング時間間隔における位置として決定することと、前記端末装置が前記第１無線フレームの前記ページング時間間隔における位置に基づき、前記ページング時間間隔を決定することと、を含む。
【００１０】
可能な実現方式では、前記端末装置が前記第１無線フレームに基づき、ページングメッセージを監視するためのページング時間間隔を決定することは、前記端末装置が前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であることと、前記端末装置が前記第２無線フレームに基づき、前記ページング時間間隔を決定することと、を含む。
【００１１】
可能な実現方式では、前記端末装置が前記第２ＳＦＮに基づき、前記ページング時間間隔を決定することは、前記端末装置が前記第２無線フレームの前記ページング時間間隔における位置を示すための第２指示情報を受信することと、前記端末装置が前記第２無線フレームの前記ページング時間間隔における位置に基づき、前記ページング時間間隔を決定することと、を含む。
【００１２】
第２態様では、ページング方法を提供し、ネットワーク機器が第１無線フレーム及びページングメッセージを送信するためのページング時間間隔を決定することと、前記ネットワーク機器が前記第１無線フレームの前記ページング時間間隔における位置を決定することと、前記端末装置が前記第１指示情報に基づき、前記ページング時間間隔を決定して、前記ページング時間間隔内に前記ページングメッセージを監視するために、前記ネットワーク機器が前記第１無線フレームの前記ページング時間間隔における位置を示すための第１指示情報を端末装置に送信することと、を含む。
【００１３】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００１４】
可能な実現方式では、前記ページング時間間隔が同期信号を検出するための同期時間間隔と同じである。
【００１５】
可能な実現方式では、前記ネットワーク機器が前記第１無線フレームを決定することは、前記ネットワーク機器がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【００１６】
可能な実現方式では、前記ネットワーク機器が前記第１無線フレームの前記ページング時間間隔における位置を決定することは、前記ネットワーク機器が前記第１無線フレームの前記同期時間間隔における位置を決定することと、前記ネットワーク機器が前記第１無線フレームの前記同期時間間隔における位置を前記第１ＳＦＮの前記ページング時間間隔における位置として決定することと、を含む。
【００１７】
可能な実現方式では、前記方法は、更に、前記端末装置が前記第３無線フレームにおいて前記ページングメッセージを監視するために、前記ネットワーク機器が前記ページング時間間隔における第３無線フレームを示すための第３指示情報を端末装置に送信することを含む。
【００１８】
第３態様では、ページング方法を提供し、ネットワーク機器が第２無線フレーム及びページングメッセージを送信するためのページング時間間隔を決定することと、前記ネットワーク機器が前記第２無線フレームの前記ページング時間間隔における位置を決定することと、前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記ネットワーク機器が前記第２無線フレームの前記ページング時間間隔における位置を示すための第２指示情報を端末装置に送信することと、を含み、
前記第２無線フレーム及び前記第１無線フレームがＳＦＮ２＝Ｍ×ＳＦＮ１を満足し、前記第１無線フレームのＳＦＮがＳＦＮ１であり、前記第２無線フレームのＳＦＮがＳＦＮ２であり、Ｍが前記ページング時間間隔に含まれる無線フレームの数である。
【００１９】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００２０】
可能な実現方式では、前記ページング時間間隔が同期信号を検出するための同期時間間隔と同じである。
【００２１】
可能な実現方式では、前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【００２２】
第４態様では、端末装置を提供し、該端末装置は上記第１態様又は第１態様の任意の可能な実現方式における端末装置の操作を実行することができる。具体的に、該端末装置は上記第１態様又は第１態様の任意の可能な実現方式における端末装置の操作を実行するためのモジュールユニットを備えてもよい。
【００２３】
第５態様では、ネットワーク機器を提供し、該ネットワーク機器は上記第２態様又は第２態様の任意の可能な実現方式におけるネットワーク機器の操作を実行することができる。具体的に、該ネットワーク機器は上記第２態様又は第２態様の任意の可能な実現方式におけるネットワーク機器の操作を実行するためのモジュールユニットを備えてもよい。
【００２４】
第６態様では、ネットワーク機器を提供し、該ネットワーク機器は上記第２態様又は第３態様の任意の可能な実現方式におけるネットワーク機器の操作を実行することができる。具体的に、該ネットワーク機器は上記第３態様又は第３態様の任意の可能な実現方式におけるネットワーク機器の操作を実行するためのモジュールユニットを備えてもよい。
【００２５】
第７態様では、端末装置を提供し、該端末装置はプロセッサ、送受信機及びメモリを備える。該プロセッサ、送受信機及びメモリが内部接続経路によって通信する。該メモリが命令を記憶することに用いられ、該プロセッサが該メモリに記憶される命令を実行することに用いられる。該プロセッサが該メモリに記憶される命令を実行するとき、該実行によって該端末装置が第１態様又は第１態様の任意の可能な実現方式における方法を実行し、又は該実行によって該端末装置が第４態様に係る端末装置を実現する。
【００２６】
第８態様では、ネットワーク機器を提供し、該ネットワーク機器はプロセッサ、送受信機及びメモリを備える。該プロセッサ、送受信機及びメモリが内部接続経路によって通信する。該メモリが命令を記憶することに用いられ、該プロセッサが該メモリに記憶される命令を実行することに用いられる。該プロセッサが該メモリに記憶される命令を実行するとき、該実行によって該ネットワーク機器が第２態様又は第２態様の任意の可能な実現方式における方法を実行し、又は該実行によって該ネットワーク機器が第５態様に係るネットワーク機器を実現する。
【００２７】
第９態様では、ネットワーク機器を提供し、該ネットワーク機器はプロセッサ、送受信機及びメモリを備える。該プロセッサ、送受信機及びメモリが内部接続経路によって通信する。該メモリが命令を記憶することに用いられ、該プロセッサが該メモリに記憶される命令を実行することに用いられる。該プロセッサが該メモリに記憶される命令を実行するとき、該実行によって該ネットワーク機器が第３態様又は第３態様の任意の可能な実現方式における方法を実行し、又は該実行によって該ネットワーク機器が第６態様に係るネットワーク機器を実現する。
【００２８】
第１０態様では、コンピュータ可読記憶媒体を提供し、前記コンピュータ可読記憶媒体にプログラムが記憶され、前記プログラムによって端末装置が上記第１態様及び様々な実現方式におけるいずれか１つのページング方法を実行する。
【００２９】
第１１態様では、コンピュータ可読記憶媒体を提供し、前記コンピュータ可読記憶媒体にプログラムが記憶され、前記プログラムによって端末装置が上記第２態様及び様々な実現方式におけるいずれか１つのページング方法を実行する。
【００３０】
第１２態様では、コンピュータ可読記憶媒体を提供し、前記コンピュータ可読記憶媒体にプログラムが記憶され、前記プログラムによってネットワーク機器が上記第３態様及び様々な実現方式におけるいずれか１つのページング方法を実行する。
【００３１】
第１３態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第１態様又は第１態様の任意の可能な実現方式における方法を実現することができる。
【００３２】
第１４態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第２態様又は第２態様の任意の可能な実現方式における方法を実現することができる。
【００３３】
第１５態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第３態様又は第３態様の任意の可能な実現方式における方法を実現することができる。
【００３４】
第１６態様では、命令を含むコンピュータプログラム製品を提供し、前記コンピュータプログラム製品がコンピュータにおいて実行されるとき、該コンピュータが上記第１態様又は第１態様の任意の可能な実現方式における方法を実行する。
【００３５】
第１７態様では、命令を含むコンピュータプログラム製品を提供し、前記コンピュータプログラム製品がコンピュータにおいて実行されるとき、該コンピュータが上記第２態様又は第２態様の任意の可能な実現方式における方法を実行する。
【００３６】
第１８態様では、命令を含むコンピュータプログラム製品を提供し、前記コンピュータプログラム製品がコンピュータにおいて実行されるとき、該コンピュータが上記第３態様又は第３態様の任意の可能な実現方式における方法を実行する。
【図面の簡単な説明】
【００３７】
【図１】図１は本願の実施例に係る応用シーンの模式的なアーキテクチャ図である。
【図２】図２は本願の実施例に係るページング方法の模式的なフローチャートである。
【図３】図３は本願の他の実施例に係るページング方法の模式的なフローチャートである。
【図４】図４は本願の更に他の実施例に係るページング方法の模式的なフローチャートである。
【図５】図５は本願の実施例に係る端末装置の模式的なブロック図である。
【図６】図６は本願の実施例に係るネットワーク機器の模式的なブロック図である。
【図７】図７は本願の実施例に係るネットワーク機器の模式的なブロック図である。
【図８】図８は本願の実施例に係る端末装置の構造模式図である。
【図９】図９は本願の実施例に係るネットワーク機器の構造模式図である。
【図１０】図１０は本願の実施例に係るネットワーク機器の構造模式図である。
【図１１】図１１は本願の実施例に係るシステムチップの構造模式図である。
【発明を実施するための形態】
【００３８】
以下、図面を参照しながら本願の実施例の技術案を説明する。
【００３９】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）及び将来の５Ｇ通信システム等に適用されてもよいと理解すべきである。
【００４０】
本願は端末装置と組み合わせて各実施例を説明する。端末装置はユーザー装置（ＵＥ：Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブルデバイス、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）ネットワークにおける端末装置等であってもよい。
【００４１】
本願はネットワーク機器と組み合わせて各実施例を説明する。ネットワーク機器は端末装置と通信するための装置であってもよく、例えば、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又は、該ネットワーク機器は中継所、アクセスポイント、車載装置、ウェアラブルデバイス及び将来の５Ｇネットワークにおけるネットワーク側機器又は将来発展するＰＬＭＮネットワークにおけるネットワーク側機器等であってもよい。
【００４２】
図１は本願の実施例に係る応用シーンの模式図である。図１における通信システムはネットワーク機器１０及び端末装置２０を備えてもよい。ネットワーク機器１０は端末装置２０に通信サービスを提供してコアネットワークにアクセスすることに用いられ、端末装置２０はネットワーク機器１０から送信された同期信号、放送信号等を検索することによりネットワークにアクセスすることができ、それによりネットワークとの通信を行う。図１に示される矢印は端末装置２０とネットワーク機器１０との間のセルラーリンクによるアップリンク／ダウンリンク伝送を示してもよい。
【００４３】
本願の実施例では、ネットワークは公衆陸上移動網（ＰＬＭＮ：Ｐｕｂｌｉｃ  Ｌａｎｄ  Ｍｏｂｉｌｅ  Ｎｅｔｗｏｒｋ）又は端末間（Ｄ２Ｄ：Ｄｅｖｉｃｅ  ｔｏ  Ｄｅｖｉｃｅ）ネットワーク又はマシン対マシン／マン（Ｍ２Ｍ：Ｍａｃｈｉｎｅ  ｔｏ  Ｍａｃｈｉｎｅ／Ｍａｎ）ネットワーク又は他のネットワークを指してもよく、図１は列挙する概略模式図に過ぎず、ネットワークには更に他の端末装置が含まれてもよく、図１には図示しない。
【００４４】
端末装置のダウンリンクデータが到達するとき、ネットワーク機器は端末装置へページングすることにより、端末装置からネットワーク機器までのシグナリング接続を確立することができ、それにより該ダウンリンクデータの伝送を行う。
【００４５】
１つのＰＤＳＣＨチャネルに複数の端末装置のページングメッセージが含まれてもよく、これらの端末装置のページングメッセージが１つのページングレコードリスト（ｐａｇｉｎｇ  Ｒｅｃｏｒｄ  Ｌｉｓｔ）を構成し、端末装置がページングレコードリストにおける各ページングレコード（Ｐａｇｉｎｇ  Ｒｅｃｏｒｄ）を読み取り、各ページングレコードにはページングされた端末装置の装置識別子（ＵＥ−ＩＤ：ＵＥ−ＩＤｅｎｔｉｔｙ）が含まれる。ある端末装置はそのＵＥ−ＩＤがあるページングレコードリストにおけるあるＵＥ−ＩＤに一致すると発見した場合、ネットワーク機器にページングされたと判断できる。
【００４６】
５Ｇシステムでは、ネットワーク機器がページングメッセージを送信するとき、該ページングメッセージと該ダウンリンク同期信号とが同じ周期で送信されてもよい。端末装置は同期信号ブロック（ＳＳ  Ｂｌｏｃｋ：Ｓｙｎｃｈｒｏｎｉｚｉｎｇ  Ｓｉｇｎａｌ  Ｂｌｏｃｋ）の同期時間間隔を検出することに用いられ、即ち、端末装置はページングメッセージのページング時間間隔を検出することに用いられる。この時、１つのページング時間間隔にはページングメッセージを送信するための複数のページング無線フレーム（ＰＦ：Ｐａｇｉｎｇ  Ｆｒａｍｅ）が含まれる可能性があり、端末装置はＬＴＥにおける方式でページングメッセージを監視するためのＰＦを決定することができるが、そのページングメッセージが該ＰＦにおいて送信されるかどうかを決定できず、その理由は、ネットワーク機器がページング時間間隔におけるいずれか１つのＰＦにおいて該ページングメッセージを送信する可能性があるためであり、従って、端末装置はページング時間間隔全体にページングメッセージの監視を行う必要がある。
【００４７】
このように、端末装置はページング時間間隔の具体的な時間領域位置を把握しなければ、ページングメッセージの監視を行うことができない。例えば、１つのページング時間間隔がページングメッセージを送信するための２つのページング無線フレームを含むと仮定し、端末装置がＬＴＥにおける方式でページングメッセージを受信するためのＰＦのシステムフレーム番号ＳＦＮ＝４を決定したが、ネットワーク機器が１つのページング時間間隔に含まれる２つのページング無線フレームのうちのいずれか１つのページング無線フレームにおいてページングメッセージを送信する可能性があるため、端末装置が該ページング時間間隔内にページングメッセージの監視を行うべきである。
【００４８】
例えば、端末装置のページング周期、すなわちＤＲＸ周期にはＮ個のページング無線フレームが含まれ、且つ各ページング無線フレームがいずれもページングメッセージを伝送することができると仮定し、端末装置はあるページング無線フレームのシステムフレーム番号がＳＦＮ＝４であると決定した場合、ＳＦＮ＝３及びＳＦＮ＝４のページング無線フレームにおいてページングメッセージを監視するか、又はＳＦＮ＝４及びＳＦＮ＝５のページング無線フレームにおいてページングメッセージを監視するかを決定できず、即ち、ネットワーク機器から送信されたページングメッセージの位置するページング時間間隔を決定できない。
【００４９】
本願の実施例では、端末装置の間欠受信（ＤＲＸ：Ｄｉｓｃｏｎｔｉｎｕｏｕｓ  Ｒｅｃｅｐｔｉｏｎ）周期（ＤＲＸ  Ｃｙｃｌｅ）が更に該端末装置のページング周期と称されてもよいと理解すべきである。且つ、本願の実施例における前記ページングメッセージを送信するための無線フレーム（システムフレームとも称される）が更にページングシステムフレーム又はページング無線フレーム、すなわちＰＦと称されてもよい。
【００５０】
本願の実施例では、端末装置は決定された無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００５１】
図２は本願の実施例に係るページング方法の模式的なフローチャートである。図２に示される方法は端末装置により実行されてもよく、該端末装置は例えば図１に示される端末装置２０であってもよい。図２に示すように、該ページング方法は以下の２１０〜２３０を含む。
【００５２】
２１０では、端末装置が第１無線フレームを決定する。
【００５３】
２２０では、端末装置が第１無線フレームに基づき、ページングメッセージを監視するためのページング時間間隔を決定し、該ページング時間間隔に第１無線フレームが含まれる。
【００５４】
即ち、端末装置の各ＤＲＸ周期には少なくとも１つのページング時間間隔が含まれてもよく、各ページング時間間隔はページングメッセージを送信するための複数のページング無線フレームを含んでもよく、該複数のページング無線フレームに該第１無線フレームが含まれる。
【００５５】
選択肢として、該ページング時間間隔が同期信号を検出するための同期時間間隔と同じである。又は、端末装置がページングメッセージを監視する時間帯は同期信号を検出する時間帯と同じである。
【００５６】
２３０では、端末装置が該ページング時間間隔内に前記ページングメッセージを監視する。
【００５７】
選択肢として、２１０では、端末装置が第１無線フレームを決定することは、端末装置がＳＦＮ１  ｍｏｄ  Ｔ＝（Ｔ／Ｎ）×（ＵＥ−ＩＤ  ｍｏｄ  Ｎ）に基づき、第１無線フレームのシステムフレーム番号（ＳＦＮ：Ｓｙｓｔｅｍ  Ｆｒａｍｅ  Ｎｕｍｂｅｒ）をＳＦＮ１として決定することを含み、Ｔが端末装置のＤＲＸ周期の時間長であり、ＵＥ−ＩＤが端末装置の装置識別子であり、Ｎが端末装置のＤＲＸ周期におけるページングメッセージを送信するための無線フレームの数である。
【００５８】
具体的には、端末装置はＳＦＮ１  ｍｏｄ  Ｔ＝（Ｔ／Ｎ）×（ＵＥ−ＩＤ  ｍｏｄ  Ｎ）に基づいてそのページングメッセージを受信するための１つのＰＦの位置、すなわち該ＰＦのＳＦＮを決定することができ、該ＰＦが該第１無線フレームである。ＳＦＮ１が該ＰＦのシステムフレーム番号であり、ＵＥ−ＩＤが該端末装置の装置識別子であり、Ｔが端末装置の最終的に用いたＤＲＸ周期の時間長であり、Ｎが各ＤＲＸ周期における該ページングメッセージを受信するための無線フレームの数（すなわち、ＰＦの数）である。
【００５９】
ＳＦＮ１  ｍｏｄ  Ｔ＝（Ｔ／Ｎ）×（ＵＥ−ＩＤ  ｍｏｄ  Ｎ）では、Ｔ／Ｎが各ＤＲＸ周期ＴをＮ部分に分けることに相当し、各部分がＴ／Ｎ個の無線フレームを含み、ＰＦがこのＴ／Ｎ個の無線フレームのうちの１番目の無線フレームである。従って、Ｎが各ＤＲＸ周期における該ページングメッセージを受信するためのＰＦの数であると見なされてもよい。ＮがＮ＝ｍｉｎ（Ｔ，ｎＢ）によって決定されてもよく、ｎＢがシステム情報ブロック（ＳＩＢ：Ｓｙｓｔｅｍ  Ｉｎｆｏｒｍａｔｉｏｎ  Ｂｌｏｃｋ）によって設定されたものであってもよく、例えば４Ｔ、２Ｔ、Ｔ、Ｔ／２、Ｔ／４、Ｔ／８等に等しくてもよい。
【００６０】
ＵＥ−ＩＤ  ｍｏｄ  Ｎは端末装置がこのＮ部のうちの第ＵＥ−ＩＤ  ｍｏｄ  Ｎ部（０≦ＵＥ−ＩＤ  ｍｏｄ  Ｎ＜Ｎ）を選択することを示し、端末装置がこのＮ部のうちのどの部を選択するかは、端末装置の装置識別子ＵＥ−ＩＤによって決定されるが、該端末装置の装置識別子ＵＥ−ＩＤが端末装置の国際移動電話加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）、例えばＵＥ−ＩＤ＝ＩＭＳＩ  ｍｏｄ  １２０４によって決定されてもよいと理解される。端末装置がこのＮ部のうちの第ＵＥ−ＩＤ  ｍｏｄ  Ｎ部を選択した場合、該第ＵＥ−ＩＤ  ｍｏｄ  Ｎ部に含まれるＰＦを用い、この時、該ＰＦのシステムフレーム番号ＳＦＮ１がＳＦＮ１  ｍｏｄ  Ｔ＝（Ｔ／Ｎ）×（ＵＥ−ＩＤ  ｍｏｄ  Ｎ）によって決定されてもよい。
【００６１】
選択肢として、２２０では、端末装置が第１無線フレームに基づき、ページングメッセージを監視するためのページング時間間隔を決定することは、端末装置が第１無線フレームの該ページング時間間隔における位置を示すための第１指示情報を受信することと、端末装置が第１無線フレームの該ページング時間間隔における位置に基づき、該ページング時間間隔を決定することと、を含む。
【００６２】
例えば、該ページング時間間隔にはページングメッセージを伝送するための２つの無線フレームが含まれる（又は、２つのＰＦが含まれる）と仮定し、前記第１指示情報は第１無線フレームがページング時間間隔における１番目のＰＦであることを示す場合、端末装置は該ページング時間間隔が第１無線フレーム及び第１無線フレームの次のＰＦを含むと決定し、前記第１指示情報は第１無線フレームがページング時間間隔における２番目のＰＦであることを示す場合、端末装置は該ページング時間間隔が第１無線フレーム及び第１無線フレームの前の一つのＰＦを含むと決定する。
【００６３】
選択肢として、２２０では、端末装置が第１無線フレームに基づき、ページングメッセージを監視するためのページング時間間隔を決定することは、端末装置が第１無線フレームの該同期時間間隔における位置を決定することと、端末装置が第１無線フレームの該同期時間間隔における位置を第１無線フレームの該ページング時間間隔における位置として決定することと、端末装置が第１無線フレームの該ページング時間間隔における位置に基づき、該ページング時間間隔を決定することと、を含む。
【００６４】
具体的には、該ページング時間間隔が同期信号を検出するための同期時間間隔と同じであるため、第１無線フレームの該同期時間間隔における位置が第１無線フレームの該ページング時間間隔における位置であると見なされてよい。端末装置は第１無線フレームの同期信号、例えば同期信号ブロックＳＳ  Ｂｌｏｃｋの位置する同期時間間隔における位置を決定すれば、第１無線フレームの該同期時間間隔における位置を把握することができ、それにより第１無線フレームの該ページング時間間隔における位置に基づき、該ページング時間間隔を決定する。
【００６５】
選択肢として、２２０では、端末装置が第１無線フレームに基づき、ページングメッセージを監視するためのページング時間間隔を決定することは、端末装置が第１無線フレーム及びＳＦＮ２＝Ｍ×ＳＦＮ１に基づき、第２無線フレームを決定し、第１無線フレームのＳＦＮがＳＦＮ１であり、第２無線フレームのＳＦＮがＳＦＮ２であり、Ｍが該ページング時間間隔に含まれる無線フレームの数であることと、端末装置が第２無線フレームに基づき、該ページング時間間隔を決定することと、を含む。
【００６６】
ネットワーク機器がページング時間間隔を決定する際に基づく時間単位はページング時間間隔であり、このため、端末装置が第１無線フレームを決定する際に基づく時間単位と異なる。ネットワーク機器の決定したページングメッセージを送信するためのページング時間間隔には第２無線フレーム（システムフレーム番号ＳＦＮ２）が含まれる場合、端末装置はＳＦＮ２＝Ｍ×ＳＦＮ１及び決定された第１無線フレーム（システムフレーム番号がＳＦＮ１である）によって該第２ＳＦＮを決定して、第２ＳＦＮに基づいて該ページング時間間隔を決定することができる。
【００６７】
選択肢として、端末装置が前記第２ＳＦＮに基づき、該ページング時間間隔を決定することは、端末装置が第２無線フレームの該ページング時間間隔における位置を示すための第２指示情報を受信することと、端末装置が第２無線フレームの該ページング時間間隔における位置に基づき、該ページング時間間隔を決定することと、を含む。
【００６８】
例えば、ＳＦＮ１＝４、Ｍ＝２（該ページング時間間隔が２つの無線フレームを含む）の場合、端末装置はＳＦＮ２＝８を決定することができる。第２指示情報は該第２無線フレームが該ページング時間間隔における１番目のＰＦであることを示す場合、端末装置は該ページング時間間隔が該第２無線フレーム及び該第２無線フレームの次のＰＦを含むと決定でき、第２指示情報は該第２無線フレームが該ページング時間間隔における２番目のＰＦであることを示す場合、端末装置は該ページング時間間隔が該第２無線フレーム及び該第２無線フレームの前の一つのＰＦを含むと決定できる。
【００６９】
選択肢として、２３０では、端末装置が該ページング時間間隔内に前記ページングメッセージを監視することは、端末装置が該ページング時間間隔における第３無線フレームを示すための第３指示情報を受信することと、端末装置が前記第３無線フレームにおいて前記ページングメッセージを監視することと、を含む。
【００７０】
具体的には、該ページング時間間隔がページングメッセージを送信するための複数の無線フレームを含み、ネットワーク機器がページング時間間隔におけるページングメッセージを送信するためのいずれか１つの無線フレームにおいて該ページングメッセージを送信する可能性がある。従って、ネットワーク機器は第３指示情報を送信することにより、該ページング時間間隔におけるどの無線フレームで該ページングメッセージを送信するかを端末装置に指示し、それにより端末装置が該無線フレームにおいて該ページングメッセージを監視し、監視効率を向上させる。
【００７１】
図３は本願の実施例に係るページング方法の模式的なフローチャートである。図３に示される方法はネットワーク機器により実行されてもよく、該ネットワーク機器は例えば図１に示されるネットワーク機器１０であってもよい。図３に示すように、該ページング方法は、
ネットワーク機器が第１無線フレーム及びページングメッセージを送信するためのページング時間間隔を決定するステップ３１０と、
前記ネットワーク機器が前記第１無線フレームの前記ページング時間間隔における位置を決定するステップ３２０と、
前記端末装置が前記第１指示情報に基づき、前記ページング時間間隔を決定して、前記ページング時間間隔内に前記ページングメッセージを監視するために、前記ネットワーク機器が前記第１無線フレームの前記ページング時間間隔における位置を示すための第１指示情報を端末装置に送信するステップ３３０と、を含む。
【００７２】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００７３】
選択肢として、前記ページング時間間隔が同期信号を検出するための同期時間間隔と同じである。
【００７４】
選択肢として、前記ネットワーク機器が前記第１無線フレームを決定することは、前記ネットワーク機器がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【００７５】
選択肢として、前記ネットワーク機器が前記第１無線フレームの前記ページング時間間隔における位置を決定することは、前記ネットワーク機器が前記第１無線フレームの前記同期時間間隔における位置を決定することと、前記ネットワーク機器が前記第１無線フレームの前記同期時間間隔における位置を前記第１ＳＦＮの前記ページング時間間隔における位置として決定することと、を含む。
【００７６】
選択肢として、前記方法は、更に、前記端末装置が前記第３無線フレームにおいて前記ページングメッセージを監視するために、前記ネットワーク機器が前記ページング時間間隔における第３無線フレームを示すための第３指示情報を端末装置に送信することを含む。
【００７７】
ネットワーク機器が第１無線フレーム及びページング時間間隔を決定する過程は、具体的に上記図２における端末装置の関連説明を参照してもよく、簡潔のため、ここで詳細な説明は省略すると理解すべきである。
【００７８】
図４は本願の実施例に係るページング方法の模式的なフローチャートである。図４に示される方法はネットワーク機器により実行されてもよく、該ネットワーク機器は例えば図１に示されるネットワーク機器１０であってもよい。図４に示すように、該ページング方法は、
ネットワーク機器が第２無線フレーム及びページングメッセージを送信するためのページング時間間隔を決定するステップ４１０と、
前記ネットワーク機器が前記第２無線フレームの前記ページング時間間隔における位置を決定するステップ４２０と、
前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記ネットワーク機器が前記第２無線フレームの前記ページング時間間隔における位置を示すための第２指示情報を端末装置に送信するステップ４３０と、を含む。
【００７９】
前記第２無線フレーム及び前記第１無線フレームがＳＦＮ２＝Ｍ×ＳＦＮ１を満足し、前記第１無線フレームのシステムフレーム番号ＳＦＮがＳＦＮ１であり、前記第２無線フレームのＳＦＮがＳＦＮ２であり、Ｍが前記ページング時間間隔に含まれる無線フレームの数である。
【００８０】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００８１】
選択肢として、前記ページング時間間隔が同期信号を検出するための同期時間間隔と同じである。
【００８２】
選択肢として、前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【００８３】
ネットワーク機器が第２無線フレーム及びページング時間間隔を決定する過程は、具体的に上記図２における端末装置の関連説明を参照してもよく、簡潔のため、ここで詳細な説明は省略すると理解すべきである。
【００８４】
本願の様々な実施例では、上記各過程の番号の順位は実行順序の前後を意味せず、各過程の実行順序はその機能及び内部論理によって決定されるべきであり、本願の実施例の実施過程を制限するためのものではないと更に理解すべきである。
【００８５】
図５は本願の実施例に係る端末装置５００の模式的なブロック図である。図５に示すように、該端末装置５００は決定ユニット５１０及び送受信ユニット５２０を備える。
決定ユニット５１０は、第１無線フレームを決定することに用いられ、
前記決定ユニット５１０は、更に、前記第１無線フレームに基づき、ページングメッセージを監視するためのページング時間間隔を決定し、前記ページング時間間隔に前記第１無線フレームが含まれることに用いられ、
送受信ユニット５２０は、前記ページング時間間隔内に前記ページングメッセージを監視することに用いられる。
【００８６】
従って、端末装置は決定された無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００８７】
選択肢として、前記ページング時間間隔が同期信号を検出するための同期時間間隔と同じである。
【００８８】
選択肢として、前記決定ユニット５１０は、具体的に、ＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することに用いられ、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【００８９】
選択肢として、前記送受信ユニット５２０は、更に、前記第１無線フレームの前記ページング時間間隔における位置を示すための第１指示情報を受信することに用いられ、前記決定ユニット５１０は、具体的に、前記第１無線フレームの前記ページング時間間隔における位置に基づき、前記ページング時間間隔を決定することに用いられる。
【００９０】
選択肢として、前記決定ユニット５１０は、具体的に、前記第１無線フレームの前記同期時間間隔における位置を決定し、前記第１無線フレームの前記同期時間間隔における位置を前記第１無線フレームの前記ページング時間間隔における位置として決定し、前記第１無線フレームの前記ページング時間間隔における位置に基づき、前記ページング時間間隔を決定することに用いられる。
【００９１】
選択肢として、前記決定ユニット５１０は、具体的に、前記端末装置が前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であり、前記端末装置が前記第２無線フレームに基づき、前記ページング時間間隔を決定することに用いられる。
【００９２】
選択肢として、前記送受信ユニット５２０は、更に、前記端末装置が前記第２無線フレームの前記ページング時間間隔における位置を示すための第２指示情報を受信することに用いられ、前記決定ユニット５１０は、具体的に、前記端末装置が前記第２無線フレームの前記ページング時間間隔における位置に基づき、前記ページング時間間隔を決定することに用いられる。
【００９３】
選択肢として、前記送受信ユニット５２０は、具体的に、前記端末装置が前記ページング時間間隔における第３無線フレームを示すための第３指示情報を受信し、前記端末装置が前記第３無線フレームにおいて前記ページングメッセージを監視することに用いられる。
【００９４】
図６は本願の実施例に係るネットワーク機器６００の模式的なブロック図である。図６に示すように、該ネットワーク機器６００は決定ユニット６１０及び送受信ユニット６２０を備える。
決定ユニット６２０は、第１無線フレーム及びページングメッセージを送信するためのページング時間間隔を決定することに用いられ、
前記決定ユニット６２０は、更に、前記第１無線フレームの前記ページング時間間隔における位置を決定することに用いられ、
送受信ユニット６２０は、前記端末装置が前記第１指示情報に基づき、前記ページング時間間隔を決定して、前記ページング時間間隔内に前記ページングメッセージを監視するために、前記第１無線フレームの前記ページング時間間隔における位置を示すための第１指示情報を端末装置に送信することに用いられる。
【００９５】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【００９６】
選択肢として、前記ページング時間間隔が同期信号を検出するための同期時間間隔と同じである。
【００９７】
選択肢として、前記決定ユニット６２０は、具体的に、ＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することに用いられ、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【００９８】
選択肢として、前記決定ユニット６２０は、具体的に、前記第１無線フレームの前記同期時間間隔における位置を決定し、前記第１無線フレームの前記同期時間間隔における位置を前記第１ＳＦＮの前記ページング時間間隔における位置として決定することに用いられる。
【００９９】
選択肢として、前記送受信ユニット６２０は、更に、前記端末装置が前記第３無線フレームにおいて前記ページングメッセージを監視するために、前記ページング時間間隔における第３無線フレームを示すための第３指示情報を端末装置に送信することに用いられる。
【０１００】
図７は本願の実施例に係るネットワーク機器７００の模式的なブロック図である。図７に示すように、該ネットワーク機器７００は決定ユニット７１０及び送受信ユニット７２０を備える。
決定ユニット７１０は、第２無線フレーム及びページングメッセージを送信するためのページング時間間隔を決定することに用いられ、
前記決定ユニット７１０は、更に、前記第２無線フレームの前記ページング時間間隔における位置を決定することに用いられ、
送受信ユニット７２０は、前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記第２無線フレームの前記ページング時間間隔における位置を示すための第２指示情報を端末装置に送信することに用いられ、
前記第２無線フレーム及び前記第１無線フレームがＳＦＮ２＝Ｍ×ＳＦＮ１を満足し、前記第１無線フレームのシステムフレーム番号ＳＦＮがＳＦＮ１であり、前記第２無線フレームのＳＦＮがＳＦＮ２であり、Ｍが前記ページング時間間隔に含まれる無線フレームの数である。
【０１０１】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【０１０２】
選択肢として、前記ページング時間間隔が同期信号を検出するための同期時間間隔と同じである。
【０１０３】
選択肢として、前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【０１０４】
図８は本願の実施例に係る端末装置８００の構造模式図である。図８に示すように、該端末装置はプロセッサ８１０、送受信機８２０及びメモリ８３０を備え、該プロセッサ８１０、送受信機８２０及びメモリ８３０が内部接続経路によって通信する。該メモリ８３０が命令を記憶することに用いられ、該送受信機８２０が信号を受信し又は信号を送信するように制御するために、該プロセッサ８１０が該メモリ８３０に記憶される命令を実行することに用いられる。該プロセッサ８１０は、
第１無線フレームを決定し、
前記第１無線フレームに基づき、ページングメッセージを監視するためのページング時間間隔を決定し、前記ページング時間間隔に前記第１無線フレームが含まれることに用いられ、
該送受信機８２０は、前記ページング時間間隔内に前記ページングメッセージを監視することに用いられる。
【０１０５】
従って、端末装置は決定された無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【０１０６】
選択肢として、前記ページング時間間隔が同期信号を検出するための同期時間間隔と同じである。
【０１０７】
選択肢として、前記プロセッサ８１０は、具体的に、ＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することに用いられ、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【０１０８】
選択肢として、前記送受信機８２０は、更に、前記第１無線フレームの前記ページング時間間隔における位置を示すための第１指示情報を受信することに用いられ、
前記プロセッサ８１０は、具体的に、前記第１無線フレームの前記ページング時間間隔における位置に基づき、前記ページング時間間隔を決定することに用いられる。
【０１０９】
選択肢として、前記プロセッサ８１０は、具体的に、前記第１無線フレームの前記同期時間間隔における位置を決定し、前記第１無線フレームの前記同期時間間隔における位置を前記第１無線フレームの前記ページング時間間隔における位置として決定し、前記第１無線フレームの前記ページング時間間隔における位置に基づき、前記ページング時間間隔を決定することに用いられる。
【０１１０】
選択肢として、前記プロセッサ８１０は、具体的に、前記端末装置が前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であり、前記端末装置が前記第２無線フレームに基づき、前記ページング時間間隔を決定することに用いられる。
【０１１１】
選択肢として、前記送受信機８２０は、更に、前記端末装置が前記第２無線フレームの前記ページング時間間隔における位置を示すための第２指示情報を受信することに用いられ、
前記プロセッサ８１０は、具体的に、前記端末装置が前記第２無線フレームの前記ページング時間間隔における位置に基づき、前記ページング時間間隔を決定することに用いられる。
【０１１２】
選択肢として、前記送受信機８２０は、具体的に、前記端末装置が前記ページング時間間隔における第３無線フレームを示すための第３指示情報を受信し、前記端末装置が前記第３無線フレームにおいて前記ページングメッセージを監視することに用いられる。
【０１１３】
本願の実施例では、該プロセッサ８１０は中央処理装置（ＣＰＵ：Ｃｅｎｔｒａｌ  Ｐｒｏｃｅｓｓｉｎｇ  Ｕｎｉｔ）であってもよく、該プロセッサ８１０は更に他の汎用プロセッサ、デジタル信号プロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１１４】
該メモリ８３０は読み出し専用メモリ及びランダムアクセスメモリを含んでもよく、且つプロセッサ８１０に命令及びデータを提供する。メモリ８３０の一部は更に不揮発性ランダムアクセスメモリを含んでもよい。
【０１１５】
実現過程において、上記方法の各ステップはプロセッサ８１０におけるハードウェアの集積論理回路又はソフトウェア形式の命令で完了してもよい。本願の実施例に開示される位置決め方法のステップはハードウェアプロセッサで実行して完了し、又はプロセッサ８１０におけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ８３０に位置し、プロセッサ８１０がメモリ８３０における情報を読み取り、そのハードウェアと組み合わせて上記方法のステップを完了する。重複を避けるため、詳細な説明は省略する。
【０１１６】
本願の実施例に係る端末装置８００は上記方法２００における方法２００を実行するための端末装置及び本願の実施例に係る端末装置４００に対応してもよく、且つ該端末装置８００における各ユニット又はモジュールはそれぞれ上記方法２００における端末装置の実行する各動作又は処理過程を実行することに用いられ、ここで、重複を避けるため、詳細な説明は省略する。
【０１１７】
図９は本願の実施例に係るネットワーク機器９００の構造模式図である。図９に示すように、該ネットワーク機器はプロセッサ９１０、送受信機９２０及びメモリ９３０を備え、該プロセッサ９１０、送受信機９２０及びメモリ９３０が内部接続経路によって通信する。該メモリ９３０が命令を記憶することに用いられ、該送受信機９２０が信号を受信し又は信号を送信するように制御するために、該プロセッサ９１０が該メモリ９３０に記憶される命令を実行することに用いられる。該プロセッサ９１０は、
第１無線フレーム及びページングメッセージを送信するためのページング時間間隔を決定し、
前記第１無線フレームの前記ページング時間間隔における位置を決定することに用いられ、
該送受信機９２０は、前記端末装置が前記第１指示情報に基づき、前記ページング時間間隔を決定して、前記ページング時間間隔内に前記ページングメッセージを監視するために、前記第１無線フレームの前記ページング時間間隔における位置を示すための第１指示情報を端末装置に送信することに用いられる。
【０１１８】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【０１１９】
選択肢として、前記ページング時間間隔が同期信号を検出するための同期時間間隔と同じである。
【０１２０】
選択肢として、前記プロセッサ９１０は、具体的に、ＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することに用いられ、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【０１２１】
選択肢として、前記プロセッサ９１０は、具体的に、前記第１無線フレームの前記同期時間間隔における位置を決定し、前記第１無線フレームの前記同期時間間隔における位置を前記第１ＳＦＮの前記ページング時間間隔における位置として決定することに用いられる。
【０１２２】
選択肢として、前記送受信機９２０は、更に、前記端末装置が前記第３無線フレームにおいて前記ページングメッセージを監視するために、前記ページング時間間隔における第３無線フレームを示すための第３指示情報を端末装置に送信することに用いられる。
【０１２３】
本願の実施例では、該プロセッサ９１０は中央処理装置（ＣＰＵ：Ｃｅｎｔｒａｌ  Ｐｒｏｃｅｓｓｉｎｇ  Ｕｎｉｔ）であってもよく、該プロセッサ９１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１２４】
該メモリ９３０は読み出し専用メモリ及びランダムアクセスメモリを含んでもよく、且つプロセッサ９１０に命令及びデータを提供する。メモリ９３０の一部は更に不揮発性ランダムアクセスメモリを含んでもよい。実現過程において、上記方法の各ステップはプロセッサ９１０におけるハードウェアの集積論理回路又はソフトウェア形式の命令で完了してもよい。本願の実施例に開示される位置決め方法のステップはハードウェアプロセッサで実行して完了し、又はプロセッサ９１０におけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ９３０に位置し、プロセッサ９１０がメモリ９３０における情報を読み取り、そのハードウェアと組み合わせて上記方法のステップを完了する。重複を避けるため、詳細な説明は省略する。
【０１２５】
本願の実施例に係るネットワーク機器９００は上記方法３００における方法３００を実行するためのネットワーク機器及び本願の実施例に係るネットワーク機器６００に対応してもよく、且つ該ネットワーク機器９００における各ユニット又はモジュールはそれぞれ上記方法３００におけるネットワーク機器の実行する各動作又は処理過程を実行することに用いられ、ここで、重複を避けるため、詳細な説明は省略する。
【０１２６】
図１０は本願の実施例に係るネットワーク機器１０００の構造模式図である。図１０に示すように、該ネットワーク機器はプロセッサ１０１０、送受信機１０２０及びメモリ１０３０を備え、該プロセッサ１０１０、送受信機１０２０及びメモリ１０３０が内部接続経路によって通信する。該メモリ１０３０が命令を記憶することに用いられ、該送受信機１０２０が信号を受信し又は信号を送信するように制御するために、該プロセッサ１０１０が該メモリ１０３０に記憶される命令を実行することに用いられる。該プロセッサ１０１０は、
第２無線フレーム及びページングメッセージを送信するためのページング時間間隔を決定し、
前記第２無線フレームの前記ページング時間間隔における位置を決定することに用いられ、
該送受信機１０２０は、前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記第２無線フレームの前記ページング時間間隔における位置を示すための第２指示情報を端末装置に送信することに用いられ、
前記第２無線フレーム及び前記第１無線フレームがＳＦＮ２＝Ｍ×ＳＦＮ１を満足し、前記第１無線フレームのＳＦＮがＳＦＮ１であり、前記第２無線フレームのＳＦＮがＳＦＮ２であり、Ｍが前記ページング時間間隔に含まれる無線フレームの数である。
【０１２７】
従って、ネットワーク機器が端末装置に特定の無線フレームの位置を指示することにより、端末装置は該無線フレーム及び該無線フレームのページング時間間隔における位置に基づき、ページングメッセージを監視するためのページング時間間隔を決定して、該ページング時間間隔内にページングメッセージを監視することができ、これにより、ページングメッセージと共通信号、例えば同期信号との送信周期が同じである場合、端末装置はページングメッセージを受信するための時間を効果的に決定することもできる。
【０１２８】
選択肢として、前記ページング時間間隔が同期信号を検出するための同期時間間隔と同じである。
【０１２９】
選択肢として、前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【０１３０】
本願の実施例では、該プロセッサ１０１０は中央処理装置（ＣＰＵ：Ｃｅｎｔｒａｌ  Ｐｒｏｃｅｓｓｉｎｇ  Ｕｎｉｔ）であってもよく、該プロセッサ１０１０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１３１】
該メモリ１０３０は読み出し専用メモリ及びランダムアクセスメモリを含んでもよく、且つプロセッサ１０１０に命令及びデータを提供する。メモリ１０３０の一部は更に不揮発性ランダムアクセスメモリを含んでもよい。実現過程において、上記方法の各ステップはプロセッサ１０１０におけるハードウェアの集積論理回路又はソフトウェア形式の命令で完了してもよい。本願の実施例に開示される位置決め方法のステップはハードウェアプロセッサで実行して完了し、又はプロセッサ１０１０におけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ１０３０に位置し、プロセッサ１０１０がメモリ１０３０における情報を読み取り、そのハードウェアと組み合わせて上記方法のステップを完了する。重複を避けるため、詳細な説明は省略する。
【０１３２】
本願の実施例に係るネットワーク機器１０００は上記方法４００における方法３００を実行するためのネットワーク機器及び本願の実施例に係るネットワーク機器７００に対応してもよく、且つ該ネットワーク機器１０００における各ユニット又はモジュールはそれぞれ上記方法４００におけるネットワーク機器の実行する各動作又は処理過程を実行することに用いられ、ここで、重複を避けるため、詳細な説明は省略する。
【０１３３】
図１１は本願の実施例に係るシステムチップの構造模式図である。図１１におけるシステムチップ１１００は入力インターフェース１１０１、出力インターフェース１１０２、少なくとも１つのプロセッサ１１０３、メモリ１１０４を備え、前記入力インターフェース１１０１、出力インターフェース１１０２、前記プロセッサ１１０３及びメモリ１１０４が内部接続経路によって接続される。前記プロセッサ１１０３が前記メモリ１１０４におけるコードを実行することに用いられる。
【０１３４】
選択肢として、前記コードが実行されるとき、前記プロセッサ１１０３は方法実施例における端末装置の実行する方法２００を実現することができる。簡潔のため、ここで詳細な説明は省略する。
【０１３５】
選択肢として、前記コードが実行されるとき、前記プロセッサ１１０３は方法実施例におけるネットワーク機器の実行する方法３００を実現することができる。簡潔のため、ここで詳細な説明は省略する。
【０１３６】
選択肢として、前記コードが実行されるとき、前記プロセッサ１１０３は方法実施例におけるネットワーク機器の実行する方法４００を実現することができる。簡潔のため、ここで詳細な説明は省略する。
【０１３７】
当業者であれば、本明細書に開示される実施例を参照して説明した各例示的なユニット及びアルゴリズムステップは、電子ハードウェア、又はコンピュータソフトウェア及び電子ハードウェアの組み合わせで実現されてもよいと理解される。これらの機能をハードウェアそれともソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１３８】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１３９】
本願に係るいくつかの実施例において、開示されるシステム、装置及び方法は他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１４０】
分離部材として説明される該ユニットは物理的に分離してもよいし、物理的に分離しなくてもよく、ユニットとして表示される部材は物理ユニットであってもよいし、物理ユニットでなくてもよく、即ち、一箇所に位置してもよいし、複数のネットワークユニットに配置されてもよい。実際の必要に応じて、その一部又は全部のユニットを選択して本実施例案の目的を実現してもよい。
【０１４１】
また、本願の各実施例では、各機能ユニットは１つの監視ユニットに統合されてもよく、各ユニットは独立して物理的に存在してもよく、２つ又は２つ以上のユニットは１つのユニットに統合されてもよい。
【０１４２】
該機能はソフトウェア機能ユニットの形式で実現され、且つ独立した製品として販売又は使用されるとき、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク機器等であってもよい）に本願の各実施例に記載の方法の全部又は一部のステップを実行させるための複数の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４３】
以上は本願の具体的な実施形態に過ぎず、本願の実施例の保護範囲を制限するためのものではなく、当業者が本願の実施例に開示される技術的範囲内に容易に想到し得る変更や置換は、いずれも本願の保護範囲内に含まれるべきである。従って、本願の実施例の保護範囲は特許請求の範囲に準じるべきである。
【図１】
2020533829.tif 000003
【図２】
2020533829.tif 000004
【図３】
2020533829.tif 000005
【図４】
2020533829.tif 000006
【図５】
2020533829.tif 000007
【図６】
2020533829.tif 000008
【図７】
2020533829.tif 000009
【図８】
2020533829.tif 000010
【図９】
2020533829.tif 000011
【図１０】
2020533829.tif 000012
【図１１】
2020533829.tif 000013
【手続補正書】
【提出日】令和2年7月14日(2020.7.14)
【手続補正１】
【補正対象書類名】明細書
【補正対象項目名】０００７
【補正方法】変更
【補正の内容】
【０００７】
可能な実現方式では、前記端末装置が第１無線フレームを決定することは、前記端末装置がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号をＳＦＮ１として決定することを含み、Ｔが前記ＤＲＸ周期の時間長であり、ＵＥ−ＩＤが前記端末装置の装置識別子であり、Ｎが前記端末装置の間欠受信（ＤＲＸ）周期におけるページングメッセージを送信するための無線フレームの数である。
【手続補正２】
【補正対象書類名】明細書
【補正対象項目名】００１１
【補正方法】変更
【補正の内容】
【００１１】
可能な実現方式では、前記端末装置が前記第２無線フレームに基づき、前記ページング時間間隔を決定することは、前記端末装置が前記第２無線フレームの前記ページング時間間隔における位置を示すための第２指示情報を受信することと、前記端末装置が前記第２無線フレームの前記ページング時間間隔における位置に基づき、前記ページング時間間隔を決定することと、を含む。
【手続補正３】
【補正対象書類名】明細書
【補正対象項目名】００１６
【補正方法】変更
【補正の内容】
【００１６】
可能な実現方式では、前記ネットワーク機器が前記第１無線フレームの前記ページング時間間隔における位置を決定することは、前記ネットワーク機器が前記第１無線フレームの前記同期時間間隔における位置を決定することと、前記ネットワーク機器が前記第１無線フレームの前記同期時間間隔における位置を前記第１無線フレームの前記ページング時間間隔における位置として決定することと、を含む。
【手続補正４】
【補正対象書類名】明細書
【補正対象項目名】００２４
【補正方法】変更
【補正の内容】
【００２４】
第６態様では、ネットワーク機器を提供し、該ネットワーク機器は上記第３態様又は第３態様の任意の可能な実現方式におけるネットワーク機器の操作を実行することができる。具体的に、該ネットワーク機器は上記第３態様又は第３態様の任意の可能な実現方式におけるネットワーク機器の操作を実行するためのモジュールユニットを備えてもよい。
【手続補正５】
【補正対象書類名】明細書
【補正対象項目名】００２９
【補正方法】変更
【補正の内容】
【００２９】
第１１態様では、コンピュータ可読記憶媒体を提供し、前記コンピュータ可読記憶媒体にプログラムが記憶され、前記プログラムによってネットワーク機器が上記第２態様及び様々な実現方式におけるいずれか１つのページング方法を実行する。
【手続補正６】
【補正対象書類名】明細書
【補正対象項目名】００６６
【補正方法】変更
【補正の内容】
【００６６】
ネットワーク機器がページング時間間隔を決定する際に基づく時間単位はページング時間間隔であり、このため、端末装置が第１無線フレームを決定する際に基づく時間単位と異なる。ネットワーク機器の決定したページングメッセージを送信するためのページング時間間隔には第２無線フレーム（システムフレーム番号ＳＦＮ２）が含まれる場合、端末装置はＳＦＮ２＝Ｍ×ＳＦＮ１及び決定された第１無線フレーム（システムフレーム番号がＳＦＮ１である）によって該第２無線フレームを決定して、第２無線フレームに基づいて該ページング時間間隔を決定することができる。
【手続補正７】
【補正対象書類名】明細書
【補正対象項目名】００６７
【補正方法】変更
【補正の内容】
【００６７】
選択肢として、端末装置が前記第２無線フレームに基づき、該ページング時間間隔を決定することは、端末装置が第２無線フレームの該ページング時間間隔における位置を示すための第２指示情報を受信することと、端末装置が第２無線フレームの該ページング時間間隔における位置に基づき、該ページング時間間隔を決定することと、を含む。
【手続補正８】
【補正対象書類名】明細書
【補正対象項目名】００７５
【補正方法】変更
【補正の内容】
【００７５】
選択肢として、前記ネットワーク機器が前記第１無線フレームの前記ページング時間間隔における位置を決定することは、前記ネットワーク機器が前記第１無線フレームの前記同期時間間隔における位置を決定することと、前記ネットワーク機器が前記第１無線フレームの前記同期時間間隔における位置を前記第１無線フレームの前記ページング時間間隔における位置として決定することと、を含む。
【手続補正９】
【補正対象書類名】明細書
【補正対象項目名】００９１
【補正方法】変更
【補正の内容】
【００９１】
選択肢として、前記決定ユニット５１０は、具体的に、前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であり、前記第２無線フレームに基づき、前記ページング時間間隔を決定することに用いられる。
【手続補正１０】
【補正対象書類名】明細書
【補正対象項目名】００９２
【補正方法】変更
【補正の内容】
【００９２】
選択肢として、前記送受信ユニット５２０は、更に、前記第２無線フレームの前記ページング時間間隔における位置を示すための第２指示情報を受信することに用いられ、前記決定ユニット５１０は、具体的に、前記第２無線フレームの前記ページング時間間隔における位置に基づき、前記ページング時間間隔を決定することに用いられる。
【手続補正１１】
【補正対象書類名】明細書
【補正対象項目名】００９３
【補正方法】変更
【補正の内容】
【００９３】
選択肢として、前記送受信ユニット５２０は、具体的に、前記ページング時間間隔における第３無線フレームを示すための第３指示情報を受信し、前記第３無線フレームにおいて前記ページングメッセージを監視することに用いられる。
【手続補正１２】
【補正対象書類名】明細書
【補正対象項目名】００９８
【補正方法】変更
【補正の内容】
【００９８】
選択肢として、前記決定ユニット６２０は、具体的に、前記第１無線フレームの前記同期時間間隔における位置を決定し、前記第１無線フレームの前記同期時間間隔における位置を前記第１無線フレームの前記ページング時間間隔における位置として決定することに用いられる。
【手続補正１３】
【補正対象書類名】明細書
【補正対象項目名】０１１０
【補正方法】変更
【補正の内容】
【０１１０】
選択肢として、前記プロセッサ８１０は、具体的に、前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であり、前記第２無線フレームに基づき、前記ページング時間間隔を決定することに用いられる。
【手続補正１４】
【補正対象書類名】明細書
【補正対象項目名】０１１１
【補正方法】変更
【補正の内容】
【０１１１】
選択肢として、前記送受信機８２０は、更に、前記第２無線フレームの前記ページング時間間隔における位置を示すための第２指示情報を受信することに用いられ、
前記プロセッサ８１０は、具体的に、前記第２無線フレームの前記ページング時間間隔における位置に基づき、前記ページング時間間隔を決定することに用いられる。
【手続補正１５】
【補正対象書類名】明細書
【補正対象項目名】０１１２
【補正方法】変更
【補正の内容】
【０１１２】
選択肢として、前記送受信機８２０は、具体的に、前記ページング時間間隔における第３無線フレームを示すための第３指示情報を受信し、前記第３無線フレームにおいて前記ページングメッセージを監視することに用いられる。
【手続補正１６】
【補正対象書類名】明細書
【補正対象項目名】０１１５
【補正方法】変更
【補正の内容】
【０１１５】
実現過程において、上記方法の各ステップはプロセッサ８１０におけるハードウェアの集積論理回路又はソフトウェア形式の命令で完了してもよい。本願の実施例に開示されるページング方法のステップはハードウェアプロセッサで実行して完了し、又はプロセッサ８１０におけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ８３０に位置し、プロセッサ８１０がメモリ８３０における情報を読み取り、そのハードウェアと組み合わせて上記方法のステップを完了する。重複を避けるため、詳細な説明は省略する。
【手続補正１７】
【補正対象書類名】明細書
【補正対象項目名】０１２１
【補正方法】変更
【補正の内容】
【０１２１】
選択肢として、前記プロセッサ９１０は、具体的に、前記第１無線フレームの前記同期時間間隔における位置を決定し、前記第１無線フレームの前記同期時間間隔における位置を前記第１無線フレームの前記ページング時間間隔における位置として決定することに用いられる。
【手続補正１８】
【補正対象書類名】明細書
【補正対象項目名】０１２４
【補正方法】変更
【補正の内容】
【０１２４】
該メモリ９３０は読み出し専用メモリ及びランダムアクセスメモリを含んでもよく、且つプロセッサ９１０に命令及びデータを提供する。メモリ９３０の一部は更に不揮発性ランダムアクセスメモリを含んでもよい。実現過程において、上記方法の各ステップはプロセッサ９１０におけるハードウェアの集積論理回路又はソフトウェア形式の命令で完了してもよい。本願の実施例に開示されるページング方法のステップはハードウェアプロセッサで実行して完了し、又はプロセッサ９１０におけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ９３０に位置し、プロセッサ９１０がメモリ９３０における情報を読み取り、そのハードウェアと組み合わせて上記方法のステップを完了する。重複を避けるため、詳細な説明は省略する。
【手続補正１９】
【補正対象書類名】明細書
【補正対象項目名】０１３１
【補正方法】変更
【補正の内容】
【０１３１】
該メモリ１０３０は読み出し専用メモリ及びランダムアクセスメモリを含んでもよく、且つプロセッサ１０１０に命令及びデータを提供する。メモリ１０３０の一部は更に不揮発性ランダムアクセスメモリを含んでもよい。実現過程において、上記方法の各ステップはプロセッサ１０１０におけるハードウェアの集積論理回路又はソフトウェア形式の命令で完了してもよい。本願の実施例に開示されるページング方法のステップはハードウェアプロセッサで実行して完了し、又はプロセッサ１０１０におけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリ１０３０に位置し、プロセッサ１０１０がメモリ１０３０における情報を読み取り、そのハードウェアと組み合わせて上記方法のステップを完了する。重複を避けるため、詳細な説明は省略する。
【手続補正２０】
【補正対象書類名】明細書
【補正対象項目名】０１３２
【補正方法】変更
【補正の内容】
【０１３２】
本願の実施例に係るネットワーク機器１０００は上記方法４００における方法４００を実行するためのネットワーク機器及び本願の実施例に係るネットワーク機器７００に対応してもよく、且つ該ネットワーク機器１０００における各ユニット又はモジュールはそれぞれ上記方法４００におけるネットワーク機器の実行する各動作又は処理過程を実行することに用いられ、ここで、重複を避けるため、詳細な説明は省略する。
【手続補正２１】
【補正対象書類名】特許請求の範囲
【補正対象項目名】全文
【補正方法】変更
【補正の内容】
【特許請求の範囲】
【請求項１】
ページング方法であって、
端末装置が第１無線フレームを決定することと、
前記端末装置が前記第１無線フレームに基づき、ページングメッセージを監視するためのページング時間間隔を決定し、前記ページング時間間隔に前記第１無線フレームが含まれることと、
前記端末装置が前記ページング時間間隔内に前記ページングメッセージを監視することと、を含むことを特徴とするページング方法。
【請求項２】
前記ページング時間間隔が同期信号を検出するための同期時間間隔と同じであることを特徴とする請求項１に記載の方法。
【請求項３】
前記端末装置が第１無線フレームを決定することは、
前記端末装置がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記端末装置の間欠受信（ＤＲＸ）周期の時間長であり、ＵＥ−ＩＤが前記端末装置の装置識別子であり、Ｎが前記ＤＲＸ周期におけるページングメッセージを送信するための無線フレームの数であることを特徴とする請求項１又は２に記載の方法。
【請求項４】
前記端末装置が前記第１無線フレームに基づき、ページングメッセージを監視するためのページング時間間隔を決定することは、
前記端末装置が前記第１無線フレームの前記ページング時間間隔における位置を示すための第１指示情報を受信することと、
前記端末装置が前記第１無線フレームの前記ページング時間間隔における位置に基づき、前記ページング時間間隔を決定することと、を含むことを特徴とする請求項１〜３のいずれか１項に記載の方法。
【請求項５】
前記端末装置が前記第１無線フレームに基づき、ページングメッセージを監視するためのページング時間間隔を決定することは、
前記端末装置が前記第１無線フレームの同期時間間隔における位置を決定することと、
前記端末装置が前記第１無線フレームの前記同期時間間隔における位置を前記第１無線フレームの前記ページング時間間隔における位置として決定することと、
前記端末装置が前記第１無線フレームの前記ページング時間間隔における位置に基づき、前記ページング時間間隔を決定することと、を含むことを特徴とする請求項２又は３に記載の方法。
【請求項６】
前記端末装置が前記第１無線フレームに基づき、ページングメッセージを監視するためのページング時間間隔を決定することは、
前記端末装置が前記第１無線フレーム及びＳＦＮ２＝Ｍ×ＳＦＮ１に基づき、第２無線フレームを決定し、前記第１無線フレームのＳＦＮがＳＦＮ１であり、前記第２無線フレームのＳＦＮがＳＦＮ２であり、Ｍが前記ページング時間間隔に含まれる無線フレームの数であることと、
前記端末装置が前記第２無線フレームに基づき、前記ページング時間間隔を決定することと、を含むことを特徴とする請求項１〜３のいずれか１項に記載の方法。
【請求項７】
前記端末装置が前記第２無線フレームに基づき、前記ページング時間間隔を決定することは、
前記端末装置が前記第２無線フレームの前記ページング時間間隔における位置を示すための第２指示情報を受信することと、
前記端末装置が前記第２無線フレームの前記ページング時間間隔における位置に基づき、前記ページング時間間隔を決定することと、を含むことを特徴とする請求項６に記載の方法。
【請求項８】
前記端末装置が前記ページング時間間隔内に前記ページングメッセージを監視することは、
前記端末装置が前記ページング時間間隔における第３無線フレームを示すための第３指示情報を受信することと、
前記端末装置が前記第３無線フレームにおいて前記ページングメッセージを監視することと、を含むことを特徴とする請求項１〜７のいずれか１項に記載の方法。
【請求項９】
ページング方法であって、
ネットワーク機器が第１無線フレーム及びページングメッセージを送信するためのページング時間間隔を決定することと、
前記ネットワーク機器が前記第１無線フレームの前記ページング時間間隔における位置を決定することと、
前記端末装置が前記第１指示情報に基づき、前記ページング時間間隔を決定して、前記ページング時間間隔内に前記ページングメッセージを監視するために、前記ネットワーク機器が前記第１無線フレームの前記ページング時間間隔における位置を示すための第１指示情報を端末装置に送信することと、を含むことを特徴とするページング方法。
【請求項１０】
前記ページング時間間隔が同期信号を検出するための同期時間間隔と同じであることを特徴とする請求項９に記載の方法。
【請求項１１】
前記ネットワーク機器が前記第１無線フレームを決定することは、
前記ネットワーク機器がＳＦＮ１  ｍｏｄ  Ｔ＝（Ｔ／Ｎ）×（ＵＥ−ＩＤ  ｍｏｄ  Ｎ）に基づき、前記第１無線フレームのシステムフレーム番号ＳＦＮをＳＦＮ１として決定することを含み、Ｔが前記端末装置の間欠受信（ＤＲＸ）周期の時間長であり、ＵＥ−ＩＤが前記端末装置の装置識別子であり、Ｎが前記ＤＲＸ周期におけるページングメッセージを送信するための無線フレームの数であることを特徴とする請求項９又は１０に記載の方法。
【請求項１２】
前記ネットワーク機器が前記第１無線フレームの前記ページング時間間隔における位置を決定することは、
前記ネットワーク機器が前記第１無線フレームの同期時間間隔における位置を決定することと、
前記ネットワーク機器が前記第１無線フレームの前記同期時間間隔における位置を前記第１無線フレームの前記ページング時間間隔における位置として決定することと、を含むことを特徴とする請求項１０又は１１に記載の方法。
【請求項１３】
前記方法は、更に、
前記端末装置が前記第３無線フレームにおいて前記ページングメッセージを監視するために、前記ネットワーク機器が前記ページング時間間隔における第３無線フレームを示すための第３指示情報を端末装置に送信することを含むことを特徴とする請求項９〜１２のいずれか１項に記載の方法。
【請求項１４】
ページング方法であって、
ネットワーク機器が第２無線フレーム及びページングメッセージを送信するためのページング時間間隔を決定することと、
前記ネットワーク機器が前記第２無線フレームの前記ページング時間間隔における位置を決定することと、
前記端末装置が第１無線フレーム及び前記第２指示情報に基づいて前記第２無線フレームを決定して、前記第２無線フレームに基づいて前記ページング時間間隔を決定して、前記ページング時間間隔内に前記ページングメッセージを監視するために、前記ネットワーク機器が前記第２無線フレームの前記ページング時間間隔における位置を示すための第２指示情報を端末装置に送信することと、を含み、
前記第２無線フレーム及び前記第１無線フレームがＳＦＮ２＝Ｍ×ＳＦＮ１を満足し、前記第１無線フレームのシステムフレーム番号ＳＦＮがＳＦＮ１であり、前記第２無線フレームのＳＦＮがＳＦＮ２であり、Ｍが前記ページング時間間隔に含まれる無線フレームの数であることを特徴とするページング方法。
【請求項１５】
前記ページング時間間隔が同期信号を検出するための同期時間間隔と同じであることを特徴とする請求項１４に記載の方法。
【請求項１６】
前記第１無線フレームがＳＦＮ１  ｍｏｄ  Ｔ＝（Ｔ／Ｎ）×（ＵＥ−ＩＤ  ｍｏｄ  Ｎ）を満足し、前記第１無線フレームのＳＦＮをＳＦＮ１として決定し、Ｔが前記端末装置の間欠受信（ＤＲＸ）周期の時間長であり、ＵＥ−ＩＤが前記端末装置の装置識別子であり、Ｎが前記ＤＲＸ周期におけるページングメッセージを送信するための無線フレームの数であることを特徴とする請求項１４又は１５に記載の方法。
【請求項１７】
端末装置であって、請求項１〜８のいずれか１項に記載の方法を実行するように構成される端末装置。  
【請求項１８】
ネットワーク機器であって、請求項９〜１３のいずれか１項に記載の方法を実行するように構成されるネットワーク機器。  
【請求項１９】
ページングネットワーク機器であって、請求項１４〜１６のいずれか１項に記載の方法を実行するように構成されるページングネットワーク機器。
【国際調査報告】
2020533829.tif 000014
2020533829.tif 000015
2020533829.tif 000016
2020533829.tif 000017
2020533829.tif 000018